(57)【特許請求の範囲】
【請求項１】
ユーザ端末からの証券売買要求を運営管理サーバに送信するルーム管理サーバと前記ルーム管理サーバから受信した証券売買要求に基づき外部システムと証券電子取引を行う運営管理サーバとを備えトレーディングルームの運営を行うトレーディングルーム運営システムであって、
前記ユーザ端末は、
入力したユーザ名とパスワードとを前記ルーム管理サーバを経由して前記運営管理サーバに送信するログイン手段と、
前記運営管理サーバから受信した利用者画面を表示し指定した利用メニューを実行する利用メニュー実行手段と、
ログアウト処理を行いログアウトしたことを前記ルーム管理サーバを経由して前記運営管理サーバに送信するログアウト手段とを有し、
前記運営管理サーバは、
登録ユーザのユーザ名，パスワード，利用するトレーディング内容および決済方法を格納するユーザ管理データベースと、
ユーザ毎に前記利用するトレーディング内容に基づく利用者画面を格納する利用者画面データベースと、
ユーザの利用履歴を格納する履歴管理データベースと、
前記ユーザ端末から受信したユーザ名とパスワードとを前記ユーザ管理データベースに登録されているユーザ名とパスワードとで検証し、前記利用者画面データベースからユーザの利用者画面を読み出して前記ユーザ端末に送信し、利用開始履歴を含む利用履歴を前記履歴管理データベースに登録するログイン管理手段と、
前記ユーザ端末から受信したログアウト情報により利用終了履歴を含む利用履歴を前記履歴管理データベースに登録するログアウト管理手段と、
前記ユーザ端末で指定した利用メニューに応じた基本料金ならびに前記履歴管理データベースに登録されている前記利用開始履歴と前記利用終了履歴とから算出した利用時間数を基に利用金額を計算し、前記利用時間数と前記利用金額に応じて割り引き前記決済方法で決済を行う決済手段とを有する、
ことを特徴とするトレーディングルーム運営システム。
【請求項２】
ユーザ端末からの証券売買要求を運営管理サーバに送信するルーム管理サーバと前記ルーム管理サーバから受信した証券売買要求に基づき外部システムと証券電子取引を行う運営管理サーバとを備えトレーディングルームの運営を行うトレーディングルーム運営システムのトレーディングルーム運営方法であって、
前記ユーザ端末は、
入力したユーザ名とパスワードとを前記ルーム管理サーバを経由して前記運営管理サーバに送信し、
前記運営管理サーバは、
前記ユーザ端末から受信したユーザ名とパスワードとをユーザ管理データベースに登録されているユーザ名とパスワードとで検証し、
ユーザ毎に利用するトレーディング内容に基づく利用者画面を格納する利用者画面データベースからユーザの利用者画面を読み出して前記ユーザ端末に送信し、
利用開始履歴を含む利用履歴を履歴管理データベースに登録し、
前記ユーザ端末は、
前記運営管理サーバから受信した利用者画面を表示し、指定した利用メニューを実行し、
ログアウト処理を行い、ログアウトしたことを前記ルーム管理サーバを経由して前記運営管理サーバに送信し、
前記運営管理サーバは、
前記ユーザ端末から受信したログアウト情報により利用終了履歴を含む利用履歴を前記履歴管理データベースに登録し、
前記ユーザ端末で指定した利用メニューに応じた基本料金ならびに前記履歴管理データベースに登録されている前記利用開始履歴と前記利用終了履歴とから算出した利用時間数を基に利用金額を計算し、
前記利用時間数と前記利用金額に応じて割り引き前記ユーザ管理データベースに登録されている決済方法で決済を行う、
ことを特徴とするトレーディングルーム運営方法。
【請求項３】
ユーザ端末から受信した証券売買要求に基づき外部システムと証券電子取引を行う運営管理サーバであって、
登録ユーザのユーザ名，パスワード，利用するトレーディング内容および決済方法を格納するユーザ管理データベースと、
ユーザ毎に前記利用するトレーディング内容に基づく利用者画面を格納する利用者画面データベースと、
ユーザの利用履歴を格納する履歴管理データベースと、
ユーザ端末から受信したユーザ名とパスワードとを前記ユーザ管理データベースに登録されているユーザ名とパスワードとで検証し、前記利用者画面データベースからユーザの利用者画面を読み出してユーザ端末に送信し、利用開始履歴を含む利用履歴を前記履歴管理データベースに登録するログイン管理手段と、
ユーザ端末から受信したログアウト情報により利用終了履歴を含む利用履歴を前記履歴管理データベースに登録するログアウト管理手段と、
ユーザ端末で指定した利用メニューに応じた基本料金ならびに前記履歴管理データベースに登録されている前記利用開始履歴と前記利用終了履歴とから算出した利用時間数を基に利用金額を計算し、前記利用時間数と前記利用金額に応じて割り引き前記決済方法で決済を行う決済手段とを有する、
ことを特徴とする運営管理サーバ。
【請求項４】
ユーザ端末から受信した証券売買要求に基づき外部システムと証券電子取引を行う運営管理サーバのプログラムであって、
運営管理サーバに、
ユーザ端末から受信したユーザ名とパスワードとをユーザ管理データベースに登録されているユーザ名とパスワードとで検証する機能、
ユーザ毎に利用するトレーディング内容に基づく利用者画面データベースからユーザの利用者画面を読み出してユーザ端末に送信する機能、
利用開始履歴を含む利用履歴を履歴管理データベースに登録する機能、
ユーザ端末から受信したログアウト情報により利用終了履歴を含む利用履歴を前記履歴管理データベースに登録する機能、
ユーザ端末で指定した利用メニューに応じた基本料金ならびに前記履歴管理データベースに登録されている前記利用開始履歴と前記利用終了履歴とから算出した利用時間数を基に利用金額を計算する機能、
前記利用時間数と前記利用金額に応じて割り引き前記ユーザ管理データベースに登録されている決済方法で決済を行う機能、
を実現させるためのプログラム。
【発明の詳細な説明】
【０００１】
【発明の属する技術分野】
本発明は、ネットワークを介した証券電子取引の運営システムに関し、特に各場所にトレーディングルームを設けて運営するトレーディングルーム運営システムおよび方法に関する。
【０００２】
【従来の技術】
従来、証券等の売買取引（トレーディング）を行う場合、証券会社の支店に取引口座を開設し、口座を開設した支店に出向いて或いは電話して売買注文を行っている。この場合、売買注文を行う者は、証券に対する十分な知識を持ち、更に注文銘柄に対する十分な下調べを行っている。
【０００３】
また、近年日本においては証券自由化に伴いインターネットトレーディングが拡がりつつあるが、現状のところインターネットトレーディング環境を備えて使いこなせる人は限られている。
【０００４】
【発明が解決しようとする課題】
しかしながら、上述した従来の技術では、以下のような問題点がある。
【０００５】
すなわち、口座を開いた支店でしか売買注文を行えないことである。また、証券に対する十分な知識および注文銘柄に対する十分な下調べが必要であるため、証券に対する知識や経験の乏しい人は敷居が高く感じ売買取引を躊躇することである。さらに、インターネットトレーディングはインターネットトレーディング環境を備えられる人しか利用できないことである。
【０００６】
本発明の目的は、上記の問題点を解決し、トレーディングの敷居を低く使いやすくするトレーディングルーム運営システムおよび方法を提供することにある。
【０００７】
【課題を解決するための手段】
本願第１の発明のトレーディングルーム運営システムは、ユーザ端末からの証券売買要求を運営管理サーバに送信するルーム管理サーバと前記ルーム管理サーバから受信した証券売買要求に基づき外部システムと証券電子取引を行う運営管理サーバとを備えトレーディングルームの運営を行うトレーディングルーム運営システムであって、前記ユーザ端末は、入力したユーザ名とパスワードとを前記ルーム管理サーバを経由して前記運営管理サーバに送信するログイン手段と、前記運営管理サーバから受信した利用者画面を表示し指定した利用メニューを実行する利用メニュー実行手段と、ログアウト処理を行いログアウトしたことを前記ルーム管理サーバを経由して前記運営管理サーバに送信するログアウト手段とを有し、前記運営管理サーバは、登録ユーザのユーザ名，パスワード，利用するトレーディング内容および決済方法を格納するユーザ管理データベースと、ユーザ毎に前記利用するトレーディング内容に基づく利用者画面を格納する利用者画面データベースと、ユーザの利用履歴を格納する履歴管理データベースと、前記ユーザ端末から受信したユーザ名とパスワードとを前記ユーザ管理データベースに登録されているユーザ名とパスワードとで検証し、前記利用者画面データベースからユーザの利用者画面を読み出して前記ユーザ端末に送信し、利用開始履歴を含む利用履歴を前記履歴管理データベースに登録するログイン管理手段と、前記ユーザ端末から受信したログアウト情報により利用終了履歴を含む利用履歴を前記履歴管理データベースに登録するログアウト管理手段と、前記ユーザ端末で指定した利用メニューに応じた基本料金ならびに前記履歴管理データベースに登録されている前記利用開始履歴と前記利用終了履歴とから算出した利用時間数を基に利用金額を計算し、前記利用時間数と前記利用金額に応じて割り引き前記決済方法で決済を行う決済手段とを有する。
【０００８】
本願第２の発明のトレーディングルーム運営方法は、ユーザ端末からの証券売買要求を運営管理サーバに送信するルーム管理サーバと前記ルーム管理サーバから受信した証券売買要求に基づき外部システムと証券電子取引を行う運営管理サーバとを備えトレーディングルームの運営を行うトレーディングルーム運営システムのトレーディングルーム運営方法であって、前記ユーザ端末は、入力したユーザ名とパスワードとを前記ルーム管理サーバを経由して前記運営管理サーバに送信し、前記運営管理サーバは、前記ユーザ端末から受信したユーザ名とパスワードとをユーザ管理データベースに登録されているユーザ名とパスワードとで検証し、ユーザ毎に利用するトレーディング内容に基づく利用者画面を格納する利用者画面データベースからユーザの利用者画面を読み出して前記ユーザ端末に送信し、利用開始履歴を含む利用履歴を履歴管理データベースに登録し、前記ユーザ端末は、前記運営管理サーバから受信した利用者画面を表示し、指定した利用メニューを実行し、ログアウト処理を行い、ログアウトしたことを前記ルーム管理サーバを経由して前記運営管理サーバに送信し、前記運営管理サーバは、前記ユーザ端末から受信したログアウト情報により利用終了履歴を含む利用履歴を前記履歴管理データベースに登録し、前記ユーザ端末で指定した利用メニューに応じた基本料金ならびに前記履歴管理データベースに登録されている前記利用開始履歴と前記利用終了履歴とから算出した利用時間数を基に利用金額を計算し、前記利用時間数と前記利用金額に応じて割り引き前記ユーザ管理データベースに登録されている決済方法で決済を行う、ことを特徴とする。
【０００９】
本願第３の発明の運営管理サーバは、ユーザ端末から受信した証券売買要求に基づき外部システムと証券電子取引を行う運営管理サーバであって、登録ユーザのユーザ名，パスワード，利用するトレーディング内容および決済方法を格納するユーザ管理データベースと、ユーザ毎に前記利用するトレーディング内容に基づく利用者画面を格納する利用者画面データベースと、ユーザの利用履歴を格納する履歴管理データベースと、ユーザ端末から受信したユーザ名とパスワードとを前記ユーザ管理データベースに登録されているユーザ名とパスワードとで検証し、前記利用者画面データベースからユーザの利用者画面を読み出してユーザ端末に送信し、利用開始履歴を含む利用履歴を前記履歴管理データベースに登録するログイン管理手段と、ユーザ端末から受信したログアウト情報により利用終了履歴を含む利用履歴を前記履歴管理データベースに登録するログアウト管理手段と、ユーザ端末で指定した利用メニューに応じた基本料金ならびに前記履歴管理データベースに登録されている前記利用開始履歴と前記利用終了履歴とから算出した利用時間数を基に利用金額を計算し、前記利用時間数と前記利用金額に応じて割り引き前記決済方法で決済を行う決済手段とを有する。
【００１０】
本願第４の発明のプログラムは、ユーザ端末から受信した証券売買要求に基づき外部システムと証券電子取引を行う運営管理サーバのプログラムであって、運営管理サーバに、ユーザ端末から受信したユーザ名とパスワードとをユーザ管理データベースに登録されているユーザ名とパスワードとで検証する機能、ユーザ毎に利用するトレーディング内容に基づく利用者画面データベースからユーザの利用者画面を読み出してユーザ端末に送信する機能、利用開始履歴を含む利用履歴を履歴管理データベースに登録する機能、ユーザ端末から受信したログアウト情報により利用終了履歴を含む利用履歴を前記履歴管理データベースに登録する機能、ユーザ端末で指定した利用メニューに応じた基本料金ならびに前記履歴管理データベースに登録されている前記利用開始履歴と前記利用終了履歴とから算出した利用時間数を基に利用金額を計算する機能、前記利用時間数と前記利用金額に応じて割り引き前記ユーザ管理データベースに登録されている決済方法で決済を行う機能、を実現させる。
【００１５】
【発明の実施の形態】
本発明のトレーディングルーム運営システムは、トレーディングをする場所，環境，ソフトウェアおよびアドバイスサービスをトータルで提供することを特徴とする。
【００１６】
本発明の実施の形態について、図面を用いて詳細に説明する。
【００１７】
図１は、本発明の実施の形態の構成を示す図である。
【００１８】
図２は、トレーディングルーム運営システムと他システムとの関連を示す図である。
【００１９】
図３は、トレーディングメニューの一例を示す図である。
【００２０】
図４は、利用者画面の一例を示す図である。
【００２１】
図１を参照すると、本発明の実施の形態のトレーディングルーム運営システム１は、トレーディングルームを運営管理する運営サイト１０と、ユーザが訪れトレーディングを行うトレーディングルームであるルームサイト２０ａ〜ルームサイト２０ｎと、運営サイト１０とルームサイト２０ａ〜ルームサイト２０ｎとを接続する高速専用回線などのネットワークＢ３０と、から構成されている。
【００２２】
運営サイト１０は、ルーム管理サーバ２１と接続しルームサイト２０ａ〜２０ｎの運営を管理支援する運営管理サーバ１１と、運営を管理する運営管理者が使用する運営管理端末１２と、ルームサイト２０ａ〜２０ｎを訪れユーザ端末２３を使用するユーザにアドバイスを行うアドバイザが使用するアドバイザ端末１３と、を備える。
【００２３】
ルームサイト２０ａ〜２０ｎは、トレーディングルームを管理し運営管理サーバ１１と接続するルーム管理サーバ２１と、トレーディングルームを管理するルーム管理者が使用するルーム管理端末２２と、トレーディングルームを訪れたユーザが使用するユーザ端末２３と、を備える。また、アドバイザを常駐させトレーディングルームを訪れたユーザに証券知識やパソコンなどの知識に関して適切な指導支援を行うようにしてもよい。なお、ルームサイト２０ａ〜２０ｎのそれぞれの構成は同等なので、以降は、ルームサイト２０として表記し説明を行う。
【００２４】
なお、上記の運営管理サーバ１１，運営管理端末１２，アドバイザ端末１３，ルーム管理サーバ２１，ルーム管理端末２２およびユーザ端末２３はプログラム制御で動作する情報処理装置（コンピュータ）である。
【００２５】
運営管理サーバ１１は、運営サイト１０の管理を行うと共に、ルーム管理サーバ２１と通信を行い本システム全体を管理し、ユーザ端末２３を使用するユーザのユーザ名などを管理するユーザ管理データベースとユーザ毎の利用者画面を管理する利用者画面データベースとユーザの利用履歴などを管理する履歴管理データベースと外部システムから取得した各種情報を蓄積する情報データベースとを有する。また、運営管理サーバ１１は、以下の手段を有する。
（１）初期設定手段
ユーザ端末２３の登録手段から送信されたユーザ名とパスワードと決済方法などをユーザ管理データベースに登録する。また、ユーザが利用するトレーディング内容からユーザ別の利用者画面を作成し利用者画面データベースに登録する。図４に、図３に示すトレーディングメニューを基に指定されたトレーディング内容から作成した利用者画面の一例を示す（本例では、トレーディングメニューから株式売買取引と診断と情報閲覧とを指定している）。
（２）ログイン管理手段
ユーザ端末２３のログイン手段から送信されたユーザ名とパスワードをユーザ管理データベースで検証し、正しければ利用者画面データベースからそのユーザの利用者画面を取り出してユーザ端末２３に送信する。また、この時点から利用開始履歴を履歴管理データベースに登録する。
（３）ログアウト管理手段
ユーザ端末２３のログアウト手段から送信されたログアウト情報により、利用終了履歴を履歴管理データベースに登録する。また、ユーザ端末２３のログアウト手段から保存情報が送信されていれば、利用者画面データベースに格納し、次回の利用に備える。
（４）ルームサイト保守手段
ルームサイト２０のソフトウェア等を最新のバージョンにリモート更新する。また、ハードウェアのリモート保守を行う。
（５）アドバイス管理手段
ユーザ端末２３のアドバイス手段からの通知により、ユーザ端末２３とアドバイザ端末１３との間にパスを設定し、ユーザとアドバイザとの間の会話を成立させる（例えば、チャット機能を使用する）。アドバイザ端末１３がユーザ端末２３に対応したアドバイス履歴を履歴管理データベースに登録する。
（６）情報取得手段
ネットワークＡ５でつながる外部システム（図２の証券会社システム２や証券取引所システム４など）から各種情報を取得して加工編集し情報データベースに蓄積する。また、ユーザ端末２３からの要求に応じて情報データベースに蓄積する情報をユーザ端末２３に送信する。
（７）決済手段
決済期日になると、ユーザの利用メニューに応じた基本料金および履歴管理データベースに登録されている利用履歴から算出した利用時間数を基に、利用金額を計算する。このとき、アドバイス履歴の時間に対してはアドバイス料として割り増しを行う。また、ルームの利用時間数，利用回数，利用金額，利用メニューを通しての取引金額あるいは取引回数に応じて割り引きを行う。計算した請求金額は、ユーザ管理データベースに登録されている決済方法により、図２の銀行システム３にユーザが開設しているユーザ口座との間で決済を行う。また、売買取引による決済金額の授受もユーザ口座との間で行う。
【００２６】
アドバイザ端末１３は、ルームサイト２０ａ〜２０ｎを訪れたユーザにアドバイスを行うアドバイザが使用する端末である。ユーザ端末２３からの質問を受信し画面を通してその回答をユーザ端末２３に送信する。なお、アドバイザ端末１３に音声機能が付属していれば、音声でのやり取りも行う。
【００２７】
ルーム管理サーバ２１は、ルームサイト２０の管理を行うと共に運営管理サーバ１１と通信を行い、ルーム管理端末２２やユーザ端末２３が運営管理サーバ１１と通信を行うときの橋渡しを行う。例えば、ユーザがユーザ端末２３から入力したユーザ名とパスワードを受け取り運営管理サーバ１１に送信し、運営管理サーバ１１から利用者画面を受信してユーザ端末２３に引き渡す。
【００２８】
ユーザ端末２３は、ルームサイト２０を訪れたユーザが使用する端末である。ユーザはユーザ端末２３を使用して各種のトレーディングを行う。ユーザ端末２３は、以下の手段を有する。
（１）登録手段
本システムにユーザを登録する。登録手段により本システムに登録されることで、ユーザは本システムを利用できるようになる。ユーザのユーザ名，パスワード,ユーザが利用するトレーディング内容および決済方法などを入力する。入力した情報は運営管理サーバ１１に送信され、データベースに登録される。ユーザが利用するトレーディング内容は、表示されるトレーディングメニューの中からユーザが利用したいものを指定する。図３にトレーディングメニューの一例を示す。なお、登録手段で登録した情報は変更できる。
（２）ログイン手段
ログイン画面にユーザ名とパスワードを入力する。入力されたユーザ名とパスワードを運営管理サーバ１１に送信し登録ユーザであるかの確認を行う。ログインした時点から利用履歴がカウント開始となる。
（３）利用メニュー実行手段
運営管理サーバ１１から送信された利用者画面を表示し、ユーザが表示された利用者画面の利用メニューを指定することで、ユーザ所望のトレーディングを実行する。なお、利用メニュー実行手段で使用するトレーディングソフトウェアは、必要とするものを運営管理サーバ１１からダウンロードしてもよいし、予めルーム管理サーバ２１やユーザ端末２３に格納しておき利用メニューに基づき使用可能とするようにしてもよい。
（４）アドバイス手段
特定の操作を行うことにより、運営管理サーバ１１のアドバイザ端末１３と送受信可能となり、例えばチャット機能を使用して、ユーザは画面を通して質問を行いその回答を得る。なお、ユーザ端末２３に音声機能が付属していれば、音声でのやり取りも行う。
（５）ログアウト手段
ユーザがログアウト操作を行うことにより、ログアウト処理（利用の後処理）を行い、ユーザ端末２３での利用を終了させる。ログアウトしたことを運営管理サーバ１１に通知する。このとき、保存すべき情報（データ等）が存在すれば、この保存情報も併せて運営管理サーバ１１に送信する。
【００２９】
図２を参照すると、上述したトレーディングルーム運営システム１は、インターネット等のネットワークＡ５を介して、証券会社システム２や銀行システム３や証券取引所システム４と接続されている。
【００３０】
トレーディングルーム運営システム１の運営管理サーバ１１は、ルーム管理サーバ２１から受信した証券売買要求に基づきネットワークＡ５を介して外部システム（証券会社システム２や証券取引所システム４）と証券電子取引を行い、また外部システム（証券会社システム２や証券取引所システム４）から証券情報を取得してルーム管理サーバ２１に送信する。
【００３１】
本発明の実施の形態の動作について、図１〜図７を参照して詳細に説明する。
【００３２】
図５は、ユーザ登録の流れを示す図である。
【００３３】
図６は、トレーディングの流れを示す図である。
【００３４】
図７は、利用金額の決済の流れを示す図である。
【００３５】
先ず、ユーザがトレーディングルームであるルームサイト２０に出向きユーザ登録を行う場合について説明する。
【００３６】
図５を参照すると、ユーザは、ユーザ端末２３からユーザのユーザ名（ユーザＩＤ），パスワード,ユーザが利用するトレーディング内容および決済方法などを入力する（ステップ１１）。
【００３７】
ユーザ端末２３の登録手段は、入力されたユーザ名，パスワード,ユーザが利用するトレーディング内容および決済方法などをルーム管理サーバ２１を通して運営管理サーバ１１に送信する（ステップ１２）。
【００３８】
運営管理サーバ１１は、ルーム管理サーバ２１からユーザ名，パスワード,ユーザが利用するトレーディング内容および決済方法などを受信して初期設定手段に引き渡す（ステップ１３）。
【００３９】
運営管理サーバ１１の初期設定手段は、ユーザ名とパスワードと決済方法などをユーザ管理データベースに登録し、ユーザが利用するトレーディング内容からユーザ別の利用者画面を作成し利用者画面データベースに登録する（ステップ１４〜１５）。
【００４０】
続いて、ユーザがユーザ端末２３を使用してトレーディングを行う場合について説明する。
【００４１】
図６を参照すると、ユーザは、ユーザ端末２３からユーザ名とパスワードを入力する（ステップ２１）。
【００４２】
ユーザ端末２３のログイン手段は、入力したユーザ名とパスワードをルーム管理サーバ２１を経由して運営管理サーバ１１に送信する（ステップ２２）。
【００４３】
運営管理サーバ１１のログイン管理手段は、受信したユーザ名とパスワードをユーザ管理データベースで検証し、正しければ利用者画面データベースからログインしたユーザの利用者画面を取り出してルーム管理サーバ２１に送信する（ステップ２３〜２５）。
【００４４】
ルーム管理サーバ２１は、受信したユーザの利用者画面をユーザ端末２３に引き渡す（ステップ２６）。
【００４５】
ユーザ端末２３の利用メニュー実行手段は、運営管理サーバ１１から送信された利用者画面を表示し、ユーザが表示された利用者画面の利用メニューを指定することで、ユーザが指定したトレーディングを実行する（ステップ２７〜２９）。例えば、株式の売買取引を行う。
【００４６】
ユーザがログアウト操作を行うことにより、ユーザ端末２３のログアウト手段はユーザの利用を終了させ、ログアウトしたことをルーム管理サーバ２１を経由して運営管理サーバ１１に通知する（ステップ３０）。
【００４７】
運営管理サーバ１１のログアウト管理手段は、ユーザ端末２３から送信されたログアウト情報により、利用履歴を履歴管理データベースに登録する（ステップ３１）。
【００４８】
続いて、利用金額の決済を行う場合について説明する。
【００４９】
図７を参照すると、運営管理サーバ１１の決済手段は、履歴管理データベースに登録されている利用履歴から利用時間数を算出する（ステップ４１）。
【００５０】
利用時間数に時間当たりの利用料金を掛けて基本料金を加算することで利用金額を計算する（ステップ４２）。
【００５１】
アドバイス履歴が登録されていれば、アドバイス時間数に応じたアドバイス料としての割増金額をステップ４２で計算した利用金額に加算する。また、ルームの利用時間数，利用回数，利用金額，利用メニューを通しての取引金額あるいは取引回数に応じてステップ４２で計算した利用金額を割り引く（ステップ４３）。
【００５２】
ステップ４３で計算した利用金額を、運営管理サーバ１１のユーザ管理データベースに登録されている決済方法により、図２の銀行システム３にユーザが開設しているユーザ口座に請求して徴収を行う（ステップ４４）。
【００５３】
このようにして、ユーザはインターネットカフェのように各場所に存在するトレーディングルームに出向き、個々に登録したユーザ名にてログインし、画面内のトレーディングソフトウェアを使用してトレーディングを行うことができる。また、必要に応じてアドバイザによるアドバイスを受けることができる。さらに、各所にトレーディングルーム（ルームサイト）が設置され利用環境が運用サイトの運用管理サーバの利用者画面データベースに保存されているので、ユーザは都合の良いトレーディングルームで場所を限定されることなくトレーディングを行うことができる。
【００５４】
なお、本実施の形態では、利用時間に応じて利用金額を算出しているが、他の実施の形態として、月額で定額の会費を徴収するようにしてもよい。
【００５５】
また、本実施の形態では、トレーディングルーム運営システムを投資顧問会社等の組織で運営する形態であるが、他の実施の形態として、証券会社システムに含ませるようにしてもよい。
【００５６】
また、本実施の形態では、図１のネットワークＢを高速専用回線で構成しているが、他の実施の形態として、インターネットなどで構成するようにしてもよい。
【００５７】
【発明の効果】
本発明の効果は、ユーザが都合の良いトレーディングルームに出向きトレーディングを行うことができることである。また、証券知識の乏しい人に対しても更にネットワークやパソコンの知識がなくてもアドバイザによる適切な指導を受けることができることである。
【００５８】
その理由は、トレーディングルームを各場所に設置して運営し、アドバイス手段を備えたからである。
【図面の簡単な説明】
【図１】本発明の実施の形態の構成を示す図
【図２】トレーディングルーム運営システムと他システムとの関連を示す図
【図３】トレーディングメニューの一例を示す図
【図４】利用者画面の一例を示す図
【図５】ユーザ登録の流れを示す図
【図６】トレーディングの流れを示す図
【図７】利用金額の決済の流れを示す図
【符号の説明】
１    トレーディングルーム運営システム
２    証券会社システム
３    銀行システム
４    証券取引所システム
５    ネットワークＡ
１０    運営サイト
１１    運営管理サーバ
１２    運営管理端末
１３    アドバイザ端末
２０    ルームサイト
２１    ルーム管理サーバ
２２    ルーム管理端末
２３    ユーザ端末
３０    ネットワークＢ
２０ａ    ルームサイト
２０ｎ    ルームサイト
【図１】
0003678659.tif 000002
【図２】
0003678659.tif 000003
【図３】
0003678659.tif 000004
【図４】
0003678659.tif 000005
【図５】
0003678659.tif 000006
【図６】
0003678659.tif 000007
【図７】
0003678659.tif 000008